(57)【要約】      （修正有）【課題】極めて簡素な作業によって壁体である背板と側板との相対位置を位置決めするようにして両部材を一体的に取り付けることができる壁体の取付構造を提供する。【解決手段】収納庫の周壁を構成する各壁体を取り付ける際に適用される壁体の取付構造であって、前記壁体が、背板１と、背板１の両側端に取り付けられる側板２であり、背板１及び側板２の所定箇所にそれぞれフック孔を有する第１窓部１Ｗ、第２窓部２Ｗを設けるとともに、各窓部１Ｗ、２Ｗを重合し、前記各フック孔により形成される挿入口Ｓに、挿入口Ｓへの挿入を案内するガイド部を高さ方向及び巾方向に設けた挿入部３２ｆを挿入することにより背板１及び側板２の高さ方向及び巾方向の位置決めを行うようにして背板１と側板２とを一体的に取り付けた。【選択図】図１０
2004298493.tif 000002
【特許請求の範囲】
【請求項１】
家具の周壁を構成する各壁体を取り付ける際に適用される壁体の取付構造であって、
前記壁体が、背板と、当該背板の両側端部に取り付けられる側板であり、背板及び側板の所定箇所にそれぞれ開口を有する窓部を設けるとともに、各窓部を重合し、重合方向に連通する前記各開口に、各開口への挿入を案内するガイド部を高さ方向に設けた挿入部材を挿入することにより前記背板及び前記側板の高さ方向の位置決めを行うようにして背板と側板とを一体的に取り付けることを特徴とする壁体の取付構造。
【請求項２】
家具の周壁を構成する各壁体を取り付ける際に適用される壁体の取付構造であって、
前記壁体が、背板と、当該背板の両側端部に取り付けられる側板であり、背板及び側板の所定箇所にそれぞれ開口を有する窓部を設けるとともに、各窓部を重合し、重合方向に連通する前記各開口に、各開口への挿入を案内するガイド部を巾方向に設けた挿入部材を挿入することにより前記背板及び前記側板の巾方向の位置決めを行うようにして背板と側板とを一体的に取り付けることを特徴とする壁体の取付構造。
【請求項３】
家具の周壁を構成する各壁体を取り付ける際に適用される壁体の取付構造であって、
前記壁体が、背板と、当該背板の両側端部に取り付けられる側板であり、背板及び側板の所定箇所にそれぞれ開口を有する窓部を設けるとともに、各窓部を重合し、重合方向に連通する前記各開口に、各開口への挿入を案内するガイド部を高さ方向及び巾方向に設けた挿入部材を挿入することにより前記背板及び前記側板の高さ方向及び巾方向の位置決めを行うようにして背板と側板とを一体的に取り付けることを特徴とする壁体の取付構造。
【請求項４】
前記ガイド部がテーパ状であることを特徴とする請求項１、２又は３記載の壁体の取付構造。
【請求項５】
前記ガイド部が湾曲状であることを特徴とする請求項１、２、３記載の発明。
【請求項６】
前記挿入部材が、天板の後端部側の所定箇所に設けたものであり、前記重合した窓部の開口に挿入部材を挿入することにより、前記背板及び前記側板とともに前記天板の位置決めをも行うことを特徴とする請求項１、２、３、４又は５記載の壁体の取付構造。
【請求項７】
前記挿入部材を、天板面の後端より後方に突出する位置に配していることを特徴とする請求項１、２、３、４、５又は６記載の壁体の取付構造。
【請求項８】
前記窓部が、その肉厚方向に貫通する前記開口を有する窓構成部を備えたものであり、窓構成部によって前記開口の開口縁部全域を包囲していることを特徴とする請求項１、２、３、４、５、６又は７記載の壁体の取付構造。
【請求項９】
前記窓部が、その肉厚方向に貫通する前記開口を有する窓構成部を備えたものであり、少なくとも窓構成部の何れか一方の側縁部に切欠きを有していることを特徴とする請求項１、４、５、６又は７記載の壁体の取付構造。
【請求項１０】
前記窓部が、前記開口の上下縁部に一対にして設けた窓構成部を備えたものであり、開口が巾方向に開放していることを特徴とする請求項１、４、５、６又は７記載の壁体の取付構造。
【請求項１１】
前記窓部が、その肉厚方向に貫通する前記開口を有する窓構成部を備えたものであり、少なくとも窓構成部の上下縁部の何れか一方に切欠きを有していることを特徴とする請求項２、４、５、６又は７記載の壁体の連結構造。
【請求項１２】
前記窓部が、前記開口の両側縁部に一対にして設けた窓構成部を備えたものであり、開口が高さ方向に開放していることを特徴とする請求項２、４、５、６又は７記載の壁体の取付構造。
【請求項１３】
前記背板及び前記側板に設けた前記窓部の形状がそれぞれ異なることを特徴とする請求項１、２、３、４、５、６、７、８、９、１０、１１又は１２記載の壁体の取付構造。
【請求項１４】
前記背板または前記側板の一方に形成した係合部を、他方に設けた被係合部に引っ掛けることにより背板の側端部と側板の後端部とを略密接させることを特徴とする請求項１、２、３、４、５、６、７、８、９、１０、１１、１２又は１３記載の壁体の取付構造。
【請求項１５】
前記家具が、前面に開口を設けた中空の収納庫本体と、当該収納庫本体の前面に位置する扉または戸板とを具備する収納庫であることを特徴とする請求項１、２、３、４、５、６、７、８、９、１０、１１、１２、１３又は１４記載の壁体の取付構造。
【発明の詳細な説明】
【０００１】
【発明の属する技術分野】
本発明は、家具等の周壁を構成する背板や側板等の壁体を取り付ける際に適用される壁体の取付構造に関するものである。
【０００２】
【従来の技術】
従来、例えば、前面に開口を有する収納庫本体と、その前面開口に設けた複数枚の戸板又は回転扉とを備えた収納庫等の家具において、収納庫本体の周壁を構成する壁体である背板と側板とを取り付ける構造としては、ビスにより結合して取り付けているものや、蝶番を介して取り付けているものがある（例えば特許文献１参照）。そして、この種の部品を用いて背板と側板とを取り付けるには、先ず、ビスや蝶番の締着位置が位置ずれしないように、背板と側板との相対位置をある程度厳密に位置決めし、その後、ビスや蝶番を背板及び側板に取り付けることによって、背板と側板とを取り付けるようにしている。また、天板を取り付ける際にもビス等を用いるのが通例である。
【０００３】
【特許文献１】
特開平５−３１００９号公報（第１〜３頁、第１図、第２図、第９図）
【０００４】
【発明が解決しようとする課題】
ところが、上記の取付構造は、上述のとおり、予め背板と側板との相対位置を厳密に位置決めしなければならず、位置決めが不適当な場合は、ビスや蝶番を締着することができずスムーズに作業を行うことができないという不具合が生じる。しかも、両部材を位置決めした状態で、ビスや蝶番といった比較的小さな部品を適宜の工具を用いて締着する作業は面倒であり、取付作業性を損なうという不具合を生じるものである。また、前記特許文献１記載の収納庫は、天板をも蝶番を介して背板に取り付けるものである。そのため、蝶番が少なくとも２つ以上必要になり、部品点数が増え、コストが高くなるとともに、取付作業をさらに煩雑なものにするという問題を生じるものである。また場合によっては、取付作業中に部品を紛失するおそれもある。
【０００５】
本発明は、このような課題に着目してなされたものであって、主たる目的は、極めて簡素な作業によって壁体である背板と側板との相対位置を位置決めするようにして両部材を一体的に取り付けることができる壁体の取付構造を提供することにある。
【０００６】
【課題を解決するための手段】
本発明は、かかる目的を達成するために、次のような構成を採用したものである。
【０００７】
すなわち、本発明の壁体の取付構造は、家具の周壁を構成する各壁体を取り付ける際に適用される壁体の取付構造であって、前記壁体が、背板と、当該背板の両側端部に取り付けられる側板であり、背板及び側板の所定箇所にそれぞれ開口を有する窓部を設けるとともに、各窓部を重合し、重合方向に連通する前記各開口に、各開口への挿入を案内するガイド部を高さ方向に設けた挿入部材を挿入することにより前記背板及び前記側板の高さ方向の位置決めを行うようにして背板と側板とを一体的に取り付けることを特徴とする。
【０００８】
このようなものであれば、各窓部を重合させた状態で、前記開口に挿入部材を挿入するという極めて簡単な作業によって、背板と側板とを一体的に取り付けることができるとともに、挿入部材のガイド部が開口縁部に当たり、背板と側板との高さ方向の位置を位置決めをも適切にすることができる。しかも、予め背板と側板との相対位置を厳密に位置決めする必要がなく、各窓部が重合する程度の位置決めを行うだけでよいため、従来の取付構造と比較して、取付作業性を格段に向上させることができる。
【０００９】
また、上記と同様の趣旨で、背板と側板の高さ方向の位置を位置決めするには、上記とほぼ同様の構成を有するものであり、背板及び側板の所定箇所にそれぞれ開口を有する窓部を設けるとともに、各窓部を重合し、重合方向に連通する前記各開口に、各開口への挿入を案内するガイド部を巾方向に設けた挿入部材を挿入することにより前記背板及び前記側板の巾方向の位置決めを行うようにして背板と側板とを一体的に取り付けるようにすればよい。
【００１０】
さらに、背板と側板の高さ方向及び巾方向の位置を位置決めするには、背板及び側板の所定箇所にそれぞれ開口を有する窓部を設けるとともに、各窓部を重合し、重合方向に連通する前記各開口に、各開口への挿入を案内するガイド部を高さ方向及び巾方向に設けた挿入部材を挿入することにより前記背板及び前記側板の高さ方向及び巾方向の位置決めを行うようにして背板と側板とを一体的に取り付けることが望ましい。
【００１１】
ガイド部の具体的な形状としては、テーパ状や湾曲状のものが挙げられる。
【００１２】
また、天板の位置決めをも同時に行えるようにするためには、前記挿入部材を天板の後端部側の所定箇所に設け、前記重合した窓部の開口に挿入部材を挿入することにより、前記背板及び前記側板とともに前記天板の位置決めをも行うようにすればよい。この場合、例えば、挿入部材を天板に一体に又は一体的に設けたものであれば、別途に専用部材を採用する必要がなく、部品点数の増加を有効に回避することができるととともに、取付作業中に挿入部材が紛失する事態を解消することができる。
【００１３】
具体的な実施態様としては、前記挿入部材を、天板面の後端より後方に突出する位置に配しているものが挙げられる。
【００１４】
前記窓部の一態様としては、窓部が、その肉厚方向に貫通する前記開口を有する窓構成部を備えたものであり、窓構成部によって前記開口の開口縁部全域を包囲しているものが好ましい。
【００１５】
また、高さ方向にテーパを設けた挿入部材を挿入し得る窓部の態様としては、窓部が、その肉厚方向に貫通する前記開口を有する窓構成部を備えたものであり少なくとも窓構成部の何れか一方の側縁部に切欠きを有しているものや、開口の上下縁部に一対にして設けた窓構成部を備え、開口が巾方向に開放しているものが望ましい。
【００１６】
一方、巾方向にテーパを設けた挿入部材を挿入し得る窓部の態様としては、窓部が、その肉厚方向に貫通する前記開口を有する窓構成部を備えたものであり少なくとも窓構成部の上下縁部の何れか一方に切欠きを有しているものや、開口の両側縁部に一対にして設けた窓構成部を備えたものであり、開口が高さ方向に開放しているものが好ましい。
【００１７】
また、前記背板及び前記側板に設けた前記窓部の形状がそれぞれ異なるものであっても好適に使用することができる。
【００１８】
簡素な構成を用いて、背板と側板との係わり合いの強度を高めるとともに、両部材の相対位置をある程度位置決めする一態様としては、前記背板または前記側板の一方に形成した係合部を、他方に設けた被係合部に引っ掛けることにより背板の側端部と側板の後端部とを略密接させることが挙げられる。
【００１９】
具体的には、本発明の壁体の取付構造が適用される家具が、前面に開口を設けた中空の収納庫本体と、当該収納庫本体の前面に位置する扉または戸板とを具備する収納庫であることが好ましい。
【００２０】
【発明の実施の形態】
以下、本発明の一実施形態を、図面を参照して説明する。
【００２１】
本実施形態に係る壁体の取付構造は、図１等に示すような本発明の家具たる収納庫Ｌの周壁を構成する各壁体を取り付ける際に適用される。
【００２２】
この収納庫Ｌは、前面を開口させた中空の収納庫本体Ｌ１と、収納庫本体Ｌ１の前面に取り付けられ、この収納庫本体Ｌ１の前面開口を回転して開閉可能とする一対の回転扉Ｌ２とを具備するものである。
【００２３】
収納庫本体Ｌ１は、壁体である背板１と、同じく壁体であって背板１の両側端部に取り付けられる側板２と、側板２の上端部間に取り付けられる天板３と、側板２の下端部間に取り付けられる底板４とを筐形に組み付けることによって構成されるものである。なお、以下の説明において、回転扉Ｌ２が位置する側を前方（前側）とし、背板１が位置する側を後方（後側）とする。また、収納庫本体Ｌ１の内面側を内方（内側）とし、収納庫本体Ｌ１の外面側を外方（外側）とする。
【００２４】
背板１は、図２に示すように、例えば一枚の板金素材を適宜折り曲げてなるものであり、具体的には、収納庫本体Ｌ１の背面を構成する正面視略矩形状の後面１１の両側縁及び上下縁を前方へ略直角に折り曲げて両側面１２、上面１３及び下面１４を形成するとともに、両側面１２、上面１３の前端部をそれぞれ略直角に折り曲げて後面１１に対向する前面１５ａ、１５ｂを形成している。
【００２５】
両側面１２の前端部を折り曲げてなる前面１５ａには、上端部に第１窓部１Ｗを設けるとともに、第１窓部１Ｗの下方に連続して後述する側板２の係合部２Ｋが係合する被係合部１Ｋを設けている。第１窓部１Ｗは、前面１５ａの一部を第１窓構成部１Ｃとし、第１窓構成部１Ｃの肉厚方向に貫通する正面視略矩形状の本発明の開口たる第１フック孔１Ｆを形成したものであり、窓構成部１Ｃによって第１フック孔１Ｆの開口縁部を包囲している。被係合部１Ｋは、前記第１窓部１Ｗを設けた領域及び下端部の所定領域を除く前面１５ａの内側の側端部を、更に前方に突出するように略直角に折り曲げ、その前端部を外方かつ後方へ同時に折り曲げてなる平面視略鈎形状をなすものである。
【００２６】
上面１３の前端部を下方へ折り曲げて前記第１窓部１Ｗの第１フック孔１Ｆの下縁と略同じ高さ位置まで垂下させてなる前面１５ｂには、前記第１窓部１Ｗに干渉しないように切欠き１５ｓを設けるとともに、当該切欠き１５ｓを設けた領域を除く下端部から前方に略直角に折り曲げて水平面１５ｄを形成し、さらに水平面１５ｄの前端部を上方かつ前方へ同時に折り曲げて傾斜壁１５ｅを一体に形成している。そして、この水平面１５ｄ及び傾斜壁１５ｅが後述する天板３の後端部を支持する第１天板支持部１５ｆとしての役割を担う。水平面１５ｄの両側端部には後面１１の側縁まで突出させた平面視略台形状の突出面１５ｇを連続して形成している。
【００２７】
下面１４は、両側端部の所定領域を除く前端部からさらに前方に突出させて前記上面１３より厚み寸法を大きく設定するとともに、その前端部を上方及び後方に連続して２段階に略直角に折り曲げ、底板４を取り付けた場合に後述する底板４の当たり部４３が当たる当たり部１６を形成している。
【００２８】
側板２は、図３、図４に示すように、例えば１枚の板金素材を適宜折り曲げてなるものであり、具体的には、収納庫本体Ｌ１の側面を構成する略矩形状の外面２１の上端部、下端部及び後端部を内方に略直角に折り曲げて上面２２、下面２３及び後面２４を形成するとともに、上面２２及び後面２４の内側の側端部をそれぞれ略直角に折り曲げて外面２１に対向する内面２５ａ、２５ｃを形成している。
【００２９】
後面２４の側端部を前方へ折り曲げてなる内面２５ｃの前端部を内方へ折り曲げて、側板２と前記背板１とを取り付けた場合に背板１の前面１５ａに当たる当たり面２６を形成している。この当たり面２６の上端部には第２窓部２Ｗを設けるとともに、第２窓部２Ｗに連続して前記被係合部１Ｋに係合する係合部２Ｋを設けている。第２窓部２Ｗは、当たり面２６の一部を第２窓構成部２Ｃとし、窓構成部２Ｃの肉厚方向に貫通しかつ内方に開放する本発明の開口たる第２フック孔２Ｆを形成したものであり、言い換えれば、第２窓構成部２Ｃにより第２フック孔２Ｆの上下縁部及び外方の側縁部を閉止しているものである。第２フック孔２Ｆの高さ寸法を第１窓部１Ｗの第１フック孔１Ｆの高さ寸法より若干大きく設定している。係合部２Ｋは、第２窓部２Ｗの第２フック孔２Ｆを形成した領域及び下端部の所定領域を除く当たり面２６の内側の側端部を前方に突出するように略直角に折り曲げ、その先端部２Ｋａを後方へ略１８０度折り曲げてなるものである。この係合部２Ｋの高さ寸法は、被係合部１Ｋの高さ寸法に略対応するように設定してある。また、後述するように、側板２と背板１と取り付けた状態において、係合部２Ｋの上端面部２Ｋ１に背板１突出面１５ｇが当接または近接し、背板１に対する側板２の上動を規制するように設定されている。
【００３０】
上面２２の側端部を下方へ折り曲げてなる内面２５ａには、前記内面２５ｃ及び第２窓部２Ｗに干渉しないように切欠き２５ｓを設けるとともに、当該切欠き２５ｓを設けた領域を除く下端部から内方に略直角に折り曲げて水平面２５ｄを形成し、さらに水平面２５ｄの内側の側端部を上方へ略直角に折り曲げて起立壁２５ｅを一体に形成している。そして、この水平面２５ｄ及び起立壁２５ｅが後述する天板３の側端部を支持する第２天板支持部２５ｆとしての役割を担う。なお、背板１と側板２とを取り付けた状態において前記突出面１５ｇが第２天板支持部２５ｆと第２窓部２Ｗとの間に位置するように、第２天板支持部２５ｆと第２窓部２Ｗとを所定距離離間させて設けている。
【００３１】
外面２１の下端部は、両側端部の所定領域を除く部位から内方に略直角に折り曲げて前記上面２２より厚み寸法を大きく設定した下面２３を形成するとともに、その内側の側端部を上方へ略直角に折り曲げて断面視略Ｌ字形状のレール部Ｒを構成している。
【００３２】
外面２１の前面側には、前記水平面２５ｄの高さ位置から外面の下端部近傍に亘る領域に沿って略四角柱状の連結部２７を一体に設けている。この連結部２７は、外面２７ａが前記外面２１から連続してなる面一のものであり、外面２７ａに対向する内面２７ｂの略中央部に外面２７ａ側に窪ませた凹部を設け、凹部の両脇に上下に連通する挿通孔２７ｃを一対にして形成しているものである。
【００３３】
天板３は、図５、図６に示すように、例えば１枚の板金素材を適宜折り曲げてなるものであり、具体的には、収納庫本体Ｌ１の天板面を構成する上面３１の両側縁部から下方に略直角に折り曲げて外面３２を形成するとともに、その下端部を内方に折り曲げて上面３１と対向する水平面３２ａを形成し、さらに水平面３２ａの内方の側端部を上方に折り曲げて起立壁３２ｂを形成している。そして、天板３を前記側板２に取り付けた状態において、これら水平面３２ａ及び起立壁３２ｂが側板２の水平面２５ｄ及び起立壁２５ｅに内接するように各寸法が適宜設定されており、水平面３２ａ及び起立壁３２ｂを第２天板支持部２５ｆに支持される第２被支持部３２ｃとして機能させている。また、水平面３２ａの後端部に上面３１の後縁より後方に突出させてなる突出面３２ｄを連続して形成するとともに、この突出面３２ｄの外方の側端部後縁に平面視湾曲状の第１ガイド部Ｇ１を形成している。さらに、突出面３２ｄの後端部も上面３１の後縁から突出面３２ｄと同寸法分だけ後方に突出させてなる突出壁３２ｅを連続して形成し、この突出壁３２ｅの高さ寸法を後方に向かって漸次小さく設定したテーパ状の第２ガイド部Ｇ２を形成している。突出面３２ｄの最大巾寸法を、背板１と側板２とを取り付けた状態において、第１窓部１Ｗと第２窓部２Ｗとが重合して前記第１フック孔１Ｆ、第２フック孔２Ｆによって形成される挿入口Ｓの巾寸法と略同寸法に設定するとともに、突出壁３２ｅの最大高さ寸法を第１窓部Ｗ１のフック孔１Ｆの高さ寸法より若干大きく設定している（図１０参照）。そして、これら突出面３２ｄ及び突出壁３２ｅを本発明の挿入部材たる挿入部３２ｆとして機能させている。
【００３４】
また、上面３１の後端部を下方へ略直角に折り曲げてなる後面３３には、前記挿入部３２ｆに干渉しないように切欠き３３ｓを設けるとともに、当該切欠き３３ｓを設けた領域を除く下端部を内方に略直角に折り曲げて水平面３３ａを形成し、さらに水平面３３ａの前端部を上方へ略直角に折り曲げて起立壁３３ｂを形成している。そして、天板３を背板１に取り付けた状態において、これら水平面３３ａ及び起立壁３３ｂが背板１の水平面１５ｄ及び傾斜壁１５ｅの一部に内接するように各寸法が適宜設定されており、水平面３３ａ及び起立壁３３ｂを第１天板支持部１５ｆに支持される第１被支持部３３ｃとして機能させている。
【００３５】
天板３の前端部には、側板２に設けた連結部２７と略同様の形状を有する連結部３４を巾方向に一体に設けている。
【００３６】
底板４は、例えば１枚の板金素材を適宜折り曲げてなるものであり、具体的には、上面４１の両側端部を断面視略Ｌ字形状に折り曲げ、側板２に取り付けた状態において、側板２のレール部Ｒに嵌合する嵌合部Ｑを形成するとともに、前端部には、天板３に設けた連結部３４と略同形状をなす連結部４２を一体に設けている。また、下面４１の後端部を断面視略Ｌ字形状に折り曲げて当たり部４３を形成している。
【００３７】
また、左右の回転扉Ｌ２は、例えば板金素材を折り曲げ形成してなる略矩形状をなすものであり、回転扉Ｌ２の側端の適宜箇所に設けた蝶番（図示省略）を利用して、収納庫本体Ｌ１の前端部に水平回動可能に取り付けられたものである。
【００３８】
次に、収納庫本体Ｌ１の組立手順について図８、図９及び図１０を参照して説明する。
【００３９】
先ず、その後面１１を床面ｆに接地させるようにして背板１を床面ｆ上に寝かせる。次いで、背板１の側端部近傍に、後面２４が床面ｆ側に位置するように側板２を近付けて、側板２を背板１に対して若干内側に傾斜させるとともに、背板１の側端部近傍に設けた前記被係合部１Ｋの一部に、側板２の係合部２Ｋの先端部２Ｋａを当てる（図８（ａ））。この際、係合部２Ｋと被係合部１Ｋの下端又は上端を略一致させるようにしておく。そして、同図中に示す矢印の方向に側板２を回転させると、その動作に伴って係合部２Ｋの先端部２Ｋａが被係合部１Ｋに沿って摺動される。引き続き側板２を回転させて背板１に対して略直角になるように起立させると、係合部２Ｋと被係合部１Ｋが略緊密に接してそれ以上の回転動作が禁止される。そして、背板１の前面１５ａに側板２の当たり面２６が当たるとともに、背板１の外面１２に側板２の内面２５ｃが略密接し、背板１と側板２との相対位置が仮決めされる（同図（ｂ）参照）。上記の手順で背板１の両側端部に側板２をそれぞれで取り付けると、背板１の両側端１２に側板２の内面２５ａの一部及び内面２５ｃが当接又は近接する（図９参照）。また、この取付状態において、係合部２Ｋの上端面部２Ｋ１と背板１突出面１５ｇとが当接または近接し、側板２が背板１の上面１３側へ移動（側板２が背板１に対して上動）することを規制している（同図参照）。さらに、同図に示すように、背板１の第１窓部１Ｗの前方に側板２の第２窓部２Ｗが重合し、第１フック孔１Ｆ、第２フック孔２Ｆによって重合方向に貫通する挿入口Ｓが形成される。この場合、図１０に図示するように、挿入口Ｓの高さ寸法は第１フック孔１Ｆの高さ寸法であり、巾寸法は第１フック孔１Ｆの内側の側縁部と第２フック孔２の側縁部との離間距離である。次いで、天板３の挿入部３２ｆを前記挿入口Ｓに挿入するように押しながら天板３を背板１及び側板２に取り付ける。具体的には、突出面３２ｄに設けた第１ガイド部Ｇ１及び突出壁３２ｅに設けた第２ガイド部Ｇ２に案内させながら挿入部３２ｆを挿入口Ｓに挿入する。そして、第２ガイド部Ｇ２の最大高さ寸法を挿入口Ｓの高さ寸法より若干大きく設定しているため、第２ガイド部Ｇ２と挿入口Ｓの高さ寸法が同一になる位置でテーパの楔作用により、第２ガイド部Ｇ２の上下縁が、挿入口Ｓの上下縁、すなわち第１フック孔１Ｆの上下縁と密着し、挿入部３２ｆのそれ以上の挿入が禁止され、背板１、側板２及び天板３の高さ方向の位置が位置決めされる。一方、突出面３２ｄの巾寸法を挿入口Ｓの巾寸法と略同一に設定しているため、突出面３２ｄを挿入口Ｓに挿入することにより背板１、側板２及び天板３の巾方向の位置が位置決めされる。なお、側板２を回転させて側板２の内面２５ａ、２５ｃを背板１の外面１２に当接または近接させるため、第１フック孔１Ｆの内側の側縁部と第２フック孔２の側縁部との離間距離はある程度決められ、挿入口Ｓの巾寸法は所定の寸法に設定される。一方、天板３を取り付ける前では、背板１と側板２との高さ位置が一定ではないため、例えば、第２フック孔２Ｆの上縁が第１フック孔１Ｆの上縁より下方に位置し（又は第２フック孔２Ｆの下縁が第１フック孔１Ｆの下縁より上方に位置し）、挿入口Ｓの高さ寸法が第１フック孔１Ｆの高さ寸法より小さくなる場合もある。この場合、挿入部３２ｆの挿入口Ｓへの挿入動作持に、第２ガイド部Ｇ２が第２フック孔２Ｆの上縁（又は下縁）に当たるが、そのまま挿入部３２ｆを挿入し続けると第２ガイド部Ｇ２の楔作用により、第２ガイド部Ｇ２が第１フック孔１Ｆの上下縁と当たる位置まで挿入部３２ｆを挿入することができ、それに伴って側板２が若干移動することになる。このようにして、背板及び側板の高さ位置が位置決めされる。また、この操作に付随して、天板３の第１被支持部３３ｃが背板１の第１支持部１５ｆに内接して支持されるとともに、第２被支持部３２ｃが側板の第２支持部２５ｆに内接して支持される。一方、底板４は、両側端部に設けた嵌合部Ｑを側板２のレール部Ｒに嵌合させながら底板４の当たり部４２が背板１の当たり部１６に当たる位置まで下方にスライドさせる。そして、天板３の前端部及び底板４の前端部に設けた連結部３４、４２と、側板２の前端部に設けた連結部２７とを、側面視略Ｌ字状の連結ブロックＢを介してそれぞれ適宜の手段で強連結する。このようにして、背板１、側板２、天板３及び底板４を一体的に取り付けて、底板４の下面４１を床面ｆに接地させるように立てることによって前面に開口を有する収納庫本体Ｌ１とすることができる。
【００４０】
このように、本実施形態に係る壁体の取付構造は、背板１及び側板２にそれぞれ第１フック孔１Ｆ、第２フック孔２Ｆを有する第１窓部Ｗ１、第２窓部Ｗ２を設けるとともに、各窓部Ｗ１、Ｗ２を重合し、重合方向に連通する各フック孔１Ｆ、２Ｆによって形成される挿入口Ｓに、挿入口Ｓへの挿入を案内するガイド部Ｇ１、Ｇ２を高さ方向及び巾方向に設けた挿入部３２ｆを挿入することにより背板１及び側板２の高さ方向及び巾方向の位置決めを行うようにして背板１と側板２とを一体的に取り付けるため、各窓部Ｗ１、Ｗ２を重合させた状態で、挿入口Ｓに挿入部３２ｆを挿入するという極めて簡単な作業によって、背板１と側板２とを一体的に取り付けることができるとともに、挿入部３２ｆの各ガイド部Ｇ１、Ｇ２の縁部が挿入口Ｓの開口縁部に当たることにより、背板１と側板２との高さ方向及び巾方向の位置を簡単かつ的確に位置決めすることができる。しかも、予め背板１と側板２との相対位置を厳密に位置決めする必要がなく、各窓部Ｗ１、Ｗ２が重合する程度の位置決めを行うだけでよいため、従来の取付構造と比較して、取付作業性を格段に向上させることができる。
【００４１】
また、第１ガイド部Ｇ１がテーパ状をなしているため、挿入部３２ｆの挿入口Ｓへの挿入をスムーズに行うことができるとともに、テーパの楔作用により、挿入口Ｓの縁部とガイド部Ｇ１との密着度合を無理なく向上させることが可能となる。
【００４２】
また、第２ガイド部Ｇ２が湾曲状をなしているため、挿入部３２ｆの挿入口Ｓへの挿入をよりスムーズに行うことができる。
【００４３】
また、挿入部３２ｆを天板３の後端部側の所定箇所に一体に設けているため、天板３の位置決めをも同時に行うことができる。さらに、位置決め用のビスや蝶番等の専用部材を別途に採用する必要がなく、部品点数の増加を有効に回避することができる。
【００４４】
挿入部３２ｆを、天板３の上面３１の後端より後方に突出する位置に配しているので、上面３１の後縁を背板２の前面１５ｂに押し当てるように、天板３を前方から後方へ押し込む操作に伴って挿入部３２ｆを前記挿入口Ｓへ確実に挿入することができる。
【００４５】
第１窓部Ｗ１が、その肉厚方向に貫通するフック孔１Ｆを有する第１窓構成部１Ｃを備えたものであり、第１窓構成部１Ｃによってフック孔１Ｆの開口縁部全域を包囲している一方、第２窓部Ｗ２が、その肉厚方向に貫通するフック孔２Ｆを有する第２窓構成部２Ｃを備えたものであり、フック孔２Ｆが一方の側方に開放しているものであるため、各窓部Ｗ１、Ｗ２を重合して形成される挿入口Ｓの四辺が各窓構成部１Ｃ、２Ｃにより包囲されたものとなる。その結果、挿入口Ｓに挿入部３２ｆを挿入した場合、挿入部３２ｆの挿入口Ｓの側縁及び上下縁にガイド部Ｇ１、Ｇ２が当接または近接し、背板１、側板２及び天板３の高さ方向及び巾方向の位置決めを同時に行うことができる。
【００４６】
第１窓部Ｗ１、第２窓部Ｗ２の形状がそれぞれ異なるものであっても、各フック孔１Ｆ、２Ｆによって形成される挿入口Ｓの寸法が、挿入部材３２ｆの挿入を許容するように設定している。そのため、各窓部の形状を略同一にする場合と比較して、各窓部の加工精度がそれほど要求されることなく、適用する部位に応じて各窓部の形状を適宜変更して用いることができ、様々な利用態様に柔軟に対応することが可能となる。
【００４７】
また、側板２に形成した係合部２Ｋを、背板１に設けた被係合部１Ｋに引っ掛けることにより背板１の側端部と側板２の後端部とを略密接させることができ、簡素な構成を用いて、背板１と側板２との係わり合いの強度を高めるとともに、両部材１、２の相対位置をある程度位置決めすることが容易に行うことができる。なお、両部１Ｋ、２Ｋの配置箇所及び高さ寸法を略一致させて対応させているため、係わり合わせる際に両部１Ｋ、２Ｋの下縁または上縁を略一致させるようにするだけで、背板１と側板２との相対位置をある程度位置決めすることがより容易に行うことができる。
【００４８】
なお、本発明は以上に述べた実施形態に限られない、
例えば、背板１と側板２の高さ方向の位置を位置決めする態様としては、上記とほぼ同様の構成を有するものであり、ガイド部を高さ方向に設けた挿入部、すなわち、ガイド部Ｇ２のみ設けた挿入部を、前記挿入口Ｓに挿入することにより背板１及び側板２の高さ方向の位置決めを行うようにして背板１と側板２とを一体的に取り付けるようにしてもよい。
【００４９】
他方、背板１と側板２の巾方向の位置を位置決めする態様としては、上記とほぼ同様の構成を有するものであり、ガイド部を巾方向に設けた挿入部、すなわち、ガイド部Ｇ１のみ設けた挿入部を、前記挿入口Ｓに挿入することにより背板１及び側板２の巾方向の位置決めを行うようにして背板１と側板２とを一体的に取り付けるようにしてもよい。
【００５０】
また、高さ方向にガイド部を設けた挿入部を挿入し得る窓部の態様としては、図１１に示すように、窓部が、その肉厚方向に貫通するフック孔Ｆを有する窓構成部Ｃを備えたものであり、窓構成部Ｃによって開口Ｆの開口縁部の全域を包囲しているもの（同図（ａ））の他に、少なくとも窓構成部Ｃの何れか一方の側縁部に切欠きＳＬを有しているもの（同図（ｂ））や、窓構成部Ｃが略コの字状のものであり、フック孔Ｆが一方の側方に開放しているもの（同図（ｃ））や、フック孔Ｆの上下縁部に一対の窓構成部Ｃを備え、フック孔Ｆが巾方向に開放しているもの（同図（ｄ））が挙げられる。このようなものであっても、フック孔Ｆの上下縁に、高さ方向に設けたガイド部が当接又は近接することによって、高さ方向の位置決めを好適に行うことができる。
【００５１】
一方、巾方向にテーパを設けた挿入部材を挿入し得る窓部の態様としては、同図（ａ）の他に、図１２に示すように、窓部が、その肉厚方向に貫通するフック孔Ｆを有する窓構成部Ｃを備えたものであり、少なくとも窓構成部Ｃの上下何れか一方に切欠きＳＬを有しているもの（同図（ｅ））や、窓構成部Ｃが上向き略コの字状（又は下向き略コの字状）のものであり、フック孔Ｆが上方（又は下方）に開放しているもの（同図（ｆ））や、フック孔Ｆの両側縁部に一対の窓構成部Ｃを備え、フック孔Ｆが高さ方向（上下方向）に開放しているもの（同図（ｅ））が挙げられる。このようなものであっても、フック孔Ｆの両側縁に、巾方向に設けたガイド部が当接又は近接することによって、巾方向の位置決めを好適に行うことができる。
【００５２】
また、どの方向の位置決めを行うかによって、各窓部を上記各態様の中から適宜選択すればよい。その際、各窓部が同形状のものであっても、あるいは異なる形状のものであっても構わない。
【００５３】
他方、ガイド部の形状も、テーパ状又は湾曲状のものであればよく、挿入部が第１ガイド部、第２ガイド部を設けているものである場合は、各ガイド部が同形状のものであってもよい。
【００５４】
また、背板の下端部及び側板の下端部に窓部を設けるとともに、底板の後端部に挿入部を設け、窓部を重合して形成される挿入口に挿入部を挿入することにより、背板、側板及び底板の位置決めを行うようにしても勿論構わない。
【００５５】
また、机やラック等の家具にも本発明の壁体の取付構造を好適に適用することができる。
【００５６】
その他の構成も、本発明の趣旨を逸脱しない範囲で種々変形が可能である。
【００５７】
【発明の効果】
以上説明したように本発明によれば、第１窓部、第２窓部を重合させた状態で、各フック孔に挿入部材を挿入するという極めて簡単な作業によって、背板と側板とを一体的に取り付けることができるとともに、挿入部材のガイドが開口縁部に当たり、背板と側板との高さ方向の位置を位置決めを適切にすることができる。しかも、予め背板と側板との相対位置を厳密に位置決めする必要がなく、各窓部が重合する程度の位置決めを行うだけでよいため、従来の取付構造と比較して、取付作業性を格段に向上させることができる。
【図面の簡単な説明】
【図１】本発明の一実施形態における収納庫の全体斜視図。
【図２】同実施形態における収納庫の背板を一部省略して示す拡大斜視図。
【図３】同実施形態における収納庫の側板の斜視図。
【図４】図３の要部拡大斜視図。
【図５】同実施形態における収納庫の天板の斜視図。
【図６】図５におけるＰ方向から見た背板の拡大図。
【図７】同実施形態における収納庫の底板の斜視図。
【図８】作用説明図。
【図９】同実施形態における収納庫の背板と側板とを取り付けた状態を一部省略して示す拡大図。
【図１０】同実施形態に係る壁体の取付構造を模式的に示す拡大図。
【図１１】同実施形態における窓部の他の態様を示す模式図。
【図１２】同実施形態における窓部の他の態様を示す模式図。
【符号の説明】
１…背板
２…側板
３…天板
１Ｃ、２Ｃ、Ｃ…窓構成部（第１窓構成部、第２窓構成部）
１Ｆ、２Ｆ、Ｆ…開口（第１フック孔、第２フック孔）
１Ｗ、２Ｗ…窓部（第１窓部、第２窓部）
１Ｋ…被係合部
２Ｋ…係合部
３２ｆ…挿入部材（挿入部）
Ｇ１、Ｇ２…ガイド部（第１ガイド部、第２ガイド部）
ＳＬ…切欠き
Ｌ…収納庫
Ｌ１…収納庫本体
Ｌ２…扉（回転扉）
【図１】
2004298493.tif 000003
【図２】
2004298493.tif 000004
【図３】
2004298493.tif 000005
【図４】
2004298493.tif 000006
【図５】
2004298493.tif 000007
【図６】
2004298493.tif 000008
【図７】
2004298493.tif 000009
【図８】
2004298493.tif 000010
【図９】
2004298493.tif 000011
【図１０】
2004298493.tif 000012
【図１１】
2004298493.tif 000013
【図１２】
2004298493.tif 000014